(57)【特許請求の範囲】
【請求項１】
天板を支持して床面に自立する天板脚部を有する天板付き家具と、棚板を支持して前記床面に自立するとともに、前記天板付き家具を出没可能に収容する収容空間を形成する棚脚部を有する棚装置と、を組み合わせた組み合わせ家具であって、
前記天板脚部および前記棚脚部のうちの一方の脚部に設けられ、前記天板付き家具の出没方向に長手であり、前記天板付き家具の出没方向における前記一方の脚部の端部近傍に抜け止め面を有するガイドレールと、
前記天板脚部および前記棚脚部のうちの他方の脚部に着脱可能に取り付けられるとともに前記ガイドレールに係合し、前記天板付き家具の出没に伴い、前記ガイドレールに沿って移動して前記天板付き家具の出没を案内し、前記抜け止め面に当接して前記棚装置からの前記天板付き家具の抜け出しを防止するガイド部と、
を備え、
前記ガイド部は、
前記他方の脚部に形成された貫通孔に挿通して前記ガイドレールに摺動可能に嵌合し、前記ガイドレールに沿って摺動して前記天板付き家具の出没を案内し、前記抜け止め面に当接して前記棚装置からの前記天板付き家具の抜け出しを防止するガイド突起と、
前記ガイド突起を固定され、前記他方の脚部に着脱可能に取り付けられる基端部と、
を備えたことを特徴とする組み合わせ家具。
【請求項２】
前記他方の脚部に形成され、前記天板付き家具の出没方向から前記基端部に当接する当接部を備えたことを特徴とする請求項１に記載の組み合わせ家具。
【請求項３】
前記ガイドレールは、前記一方の脚部における前記他方の脚部に対向する壁面に凹状に形成され、
前記ガイド突起は、凹状をなす前記ガイドレール内に嵌合する凸状に形成されることを特徴とする請求項１または２に記載の組み合わせ家具。
【請求項４】
前記当接部は、前記他方の脚部における前記ガイドレールとの対向面の反対側の壁面に形成され、前記基端部が嵌合する嵌合凹部の一部分であることを特徴とする請求項２または請求項２を引用する請求項３に記載の組み合わせ家具。
【発明の詳細な説明】
【技術分野】
【０００１】
本発明は、天板付き家具と棚装置とを組み合わせた組み合わせ家具に関する。
【背景技術】
【０００２】
従来から、デスク等の天板付き家具とキャビネット等の棚装置とを組み合わせて構成される組み合わせ家具が公知である（例えば、特許文献１〜３参照）。以下、組み合わせ家具は、天板付き家具と棚装置とを組み合わせた家具を意味する。
【０００３】
一般に、組み合わせ家具において、天板付き家具は、棚装置が形成する収容空間内に収容可能な寸法のものであり、棚装置の奥行き方向に移動して出没できるように棚装置に取り付けられている。また、組み合わせ家具には、例えば特許文献１〜３に開示されるように、棚装置から天板付き家具が抜け出ることを防止するためのストッパ手段が設けられている。これにより、組み合わせ家具は、棚装置から天板付き家具を脱離させないように、天板付き家具の引き出し動作を制限する。
【０００４】
使用者は、上述したような組み合わせ家具の机機能を使用する場合、棚装置の収容空間内（以下、棚装置内と適宜略す）から天板付き家具を引き出す。この際、天板付き家具は、棚装置から脱離することなく、使用者の手前に引き出される。使用者は、この引き出した天板付き家具を机として使用する。一方、使用者は、組み合わせ家具の机機能を使用しない場合、棚装置から突出した状態の天板付き家具を、棚装置内に押し入れて収容する。このように棚装置に対して天板付き家具を適宜出没可能な組み合わせ家具は、リビングルーム、書斎、または学習室等の室内に設置され、室内における占有スペースを小さくすることに有効である。
【先行技術文献】
【特許文献】
【０００５】
【特許文献１】実開平１−１１２７２９号公報
【特許文献２】実用新案登録第３０４８０５６号公報
【特許文献３】特開平９−２２４７５４号公報
【発明の概要】
【発明が解決しようとする課題】
【０００６】
近年、組み合わせ家具においては、天板付き家具を、棚装置に対して出没可能な机としてのみならず、多様な用途に応じて使用可能にすることが要望されている。このためには、棚装置から天板付き家具を抜き出し、抜き出した天板付き家具を、棚装置から離間可能な自由状態にして使用する必要がある。このように天板付き家具を自由状態にすることにより、天板付き家具をその奥行き方向の両側から使用可能になり、この結果、天板付き家具を用途に合わせて多様に使用することができる。
【０００７】
例えば、天板付き家具をその奥行き方向の両側から使用可能な状態にし、この状態の天板付き家具と棚装置とを組み合わせることにより、組み合わせ家具を構成する。このような組み合わせ家具の天板付き家具を児童用の学習机として使用する場合、椅子に座る等して天板付き家具に着く使用者（児童）が、この天板付き家具を挟んで対面する親と一緒に学習すること、所謂、親子の対面学習が可能となる。
【０００８】
しかしながら、上述した従来の組み合わせ家具では、棚装置から天板付き家具を簡易に抜き出すことができず、このため、天板付き家具の使用態様を用途に応じて多様化することが困難である。
【０００９】
本発明は、上記に鑑みてなされたものであって、棚装置から天板付き家具を簡易に抜き出すことができ、これにより、天板付き家具の使用態様を用途に応じて多様化することができる組み合わせ家具を提供することを目的とする。
【課題を解決するための手段】
【００１０】
上述した課題を解決し、目的を達成するために、本発明にかかる組み合わせ家具は、天板を支持する天板脚部を有する天板付き家具と、棚板を支持して床面に起立するとともに、前記天板付き家具を出没可能に収容する収容空間を形成する棚脚部を有する棚装置と、を組み合わせた組み合わせ家具であって、前記天板脚部および前記棚脚部のうちの一方の脚部に設けられ、前記天板付き家具の出没方向に長手であり、前記天板付き家具の出没方向における前記一方の脚部の端部近傍に抜け止め面を有するガイドレールと、前記天板脚部および前記棚脚部のうちの他方の脚部に着脱可能に取り付けられるとともに前記ガイドレールに係合し、前記天板付き家具の出没に伴い、前記ガイドレールに沿って移動して前記天板付き家具の出没を案内し、前記抜け止め面に当接して前記棚装置からの前記天板付き家具の抜け出しを防止するガイド部と、を備えたことを特徴とする。
【００１１】
また、本発明にかかる組み合わせ家具は、上記の発明において、前記ガイド部は、前記他方の脚部に形成された貫通孔に挿通して前記ガイドレールに摺動可能に嵌合し、前記ガイドレールに沿って摺動して前記天板付き家具の出没を案内し、前記抜け止め面に当接して前記棚装置からの前記天板付き家具の抜け出しを防止するガイド突起と、前記ガイド突起を固定され、前記他方の脚部に着脱可能に取り付けられる基端部と、を備えたことを特徴とする。
【００１２】
また、本発明にかかる組み合わせ家具は、上記の発明において、前記他方の脚部に形成され、前記天板付き家具の出没方向から前記基端部に当接する当接部を備えたことを特徴とする。
【００１３】
また、本発明にかかる組み合わせ家具は、上記の発明において、前記ガイドレールは、前記一方の脚部における前記他方の脚部に対向する壁面に凹状に形成され、前記ガイド突起は、凹状をなす前記ガイドレール内に嵌合する凸状に形成されることを特徴とする。
【００１４】
また、本発明にかかる組み合わせ家具は、上記の発明において、前記当接部は、前記他方の脚部における前記ガイドレールとの対向面の反対側の壁面に形成され、前記基端部が嵌合する嵌合凹部の一部分であることを特徴とする。
【発明の効果】
【００１５】
本発明によれば、棚装置から天板付き家具を簡易に抜き出すことができ、これにより、天板付き家具の使用態様を用途に応じて多様化することができるという効果を奏する。
【図面の簡単な説明】
【００１６】
【図１】図１は、本発明の実施の形態にかかる組み合わせ家具の一構成例を示す斜視図である。
【図２】図２は、本発明の実施の形態にかかる組み合わせ家具の一構成例を示す正面図である。
【図３】図３は、本発明の実施の形態にかかる組み合わせ家具の一構成例を示す側面図である。
【図４】図４は、本発明の実施の形態にかかる組み合わせ家具の棚装置内から天板付き家具を引き出した状態を示す図である。
【図５】図５は、本発明の実施の形態にかかる組み合わせ家具の天板付き家具の一構成例を示す斜視図である。
【図６】図６は、本発明の実施の形態にかかる組み合わせ家具の棚装置の一構成例を示す斜視図である。
【図７】図７は、棚装置内からの天板付き家具の出没を案内するガイド部およびその取付部分の各構成例を示す図である。
【図８】図８は、天板付き家具に取り付けたガイド部と棚装置に形成されたガイドレールとの係合構造の一例を示す断面図である。
【図９】図９は、棚装置に形成されたガイドレールの一構成例を示す図である。
【図１０】図１０は、棚装置内からの天板付き家具の引き出し動作を説明する図である。
【図１１】図１１は、棚装置内への天板付き家具の収容動作を説明する図である。
【図１２】図１２は、天板付き家具の天板脚部からガイド部を取り外した状態を示す図である。
【図１３】図１３は、棚装置から天板付き家具を取り外した状態を示す図である。
【図１４】図１４は、棚装置と天板とを組み合わせた組み合わせ家具の別態様の一例を示す図である。
【図１５】図１５は、脚板の内壁にガイド部を取り付ける状態の一変形例を示す図である。
【発明を実施するための形態】
【００１７】
以下に、添付図面を参照して、本発明にかかる組み合わせ家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１８】
（組み合わせ家具の構成）
まず、本発明の実施の形態にかかる組み合わせ家具の構成について説明する。図１は、本発明の実施の形態にかかる組み合わせ家具の一構成例を示す斜視図である。図２は、本発明の実施の形態にかかる組み合わせ家具の一構成例を示す正面図である。図３は、本発明の実施の形態にかかる組み合わせ家具の一構成例を示す側面図である。図４は、本発明の実施の形態にかかる組み合わせ家具の棚装置内から天板付き家具を引き出した状態を示す図である。図５は、本発明の実施の形態にかかる組み合わせ家具の天板付き家具の一構成例を示す斜視図である。図６は、本発明の実施の形態にかかる組み合わせ家具の棚装置の一構成例を示す斜視図である。
【００１９】
図１〜６に示すように、本発明の実施の形態にかかる組み合わせ家具１は、自立式の机等として使用可能な天板付き家具２と、書籍等の物品を収容する収容棚等として使用可能な自立式の棚装置３とを備える。組み合わせ家具１は、棚装置３内に天板付き家具２を出没可能に収容できるように、天板付き家具２と棚装置３とを組み合わせて構成される。
【００２０】
天板付き家具２は、図１〜４に示すように棚装置３から出没可能な机状構造体である。本実施の形態において、天板付き家具２は、図５に示すように、天板１０と、天板１０等を支持して自立する天板脚部１１と、天板１０上からの物品落下を防止する落下防止壁１２と、棚装置３内からの天板付き家具２の出没を案内するガイド部１３，１４と、物品を収容可能な引き出し１６とを備える。
【００２１】
天板１０は、机の天板等のように、使用者が天板付き家具２を学習等の用途に使用する際、この用途に応じた作業に用いられる平板部材である。天板１０の上面（天板上面１０ａ）には、天板付き家具２の用途に応じた物品が必要に応じて載置される。なお、天板上面１０ａに載置される物品として、例えば、書籍、文房具、パーソナルコンピュータ（パソコン）、タブレット端末や電子計算機等の情報機器等が挙げられる。
【００２２】
天板脚部１１は、天板付き家具２が床面に自立するための脚部として機能するものであり、図５に示すように、天板１０等を支持する一対の脚板１１ａ，１１ｂによって構成される。脚板１１ａ，１１ｂは、天板付き家具２の幅方向Ｆ１２に所定の間隔をあけて離間するように配置される。これらの脚板１１ａ，１１ｂの各上面には、天板１０の幅方向両端部の各下面が各々固定される。また、これらの脚板１１ａ，１１ｂの各上面のうち、天板付き家具２の奥行き方向Ｆ１１の奥側には、落下防止壁１２が取り付けられる。一方、脚板１１ａ，１１ｂの互いに対向する壁面（すなわち内壁面）の各々には、引き出し１６を支持する支持部材が、脚板１１ａ，１１ｂに挟まれるように固定される。このような脚板１１ａ，１１ｂは、引き出し１６の支持部材を幅方向Ｆ１２から挟んで支持するとともに、天板１０および落下防止壁１２を支持する。このような状態を維持しながら、脚板１１ａ，１１ｂは、図５に示すように、天板付き家具２の起立方向Ｆ１３の上方に天板上面１０ａを向けて自立する。
【００２３】
また、脚板１１ａ，１１ｂの奥行き方向Ｆ１１の奥側には、図５に示すように、ガイド部１３，１４と、切欠き部１５ａ，１５ｂとが設けられる。ガイド部１３，１４は、棚装置３内からの天板付き家具２の出没を案内するものであり、脚板１１ａ，１１ｂに各々着脱可能に取り付けられる。切欠き部１５ａ，１５ｂは、図１〜３に示すように天板付き家具２を棚装置３内に収容する際、棚装置３の支柱３４と天板脚部１１との接触を回避するために、脚板１１ａ，１１ｂに各々形成される。
【００２４】
一方、脚板１１ａ，１１ｂの起立方向Ｆ１３の下端部には、図５に示すように、車輪１７および滑り止め部１８が設けられる。車輪１７は、棚装置３から天板付き家具２を出没する等の際、天板付き家具２の奥行き方向Ｆ１１への移動を円滑に行えるようにするためのものである。このような車輪１７は、脚板１１ａ，１１ｂにおける奥行き方向Ｆ１１の奥側の各下部に、回転自在に軸支される。滑り止め部１８は、床面における脚板１１ａ，１１ｂの摺動を抑止し、これにより、天板付き家具２の意図せぬ移動を防止するものである。このような滑り止め部１８は、脚板１１ａ，１１ｂにおける奥行き方向Ｆ１１の手前側の各下端部に形成される。
【００２５】
引き出し１６は、所望の物品を収容する箱型の収容手段である。引き出し１６は、上述したように脚板１１ａ，１１ｂの各内壁面に固定された支持部材と天板１０との間の空間に、出し入れ可能に配置される。引き出し１６は、天板付き家具２の奥行き方向Ｆ１１の手前側に引き出されて、物品を出し入れ可能な状態となる。また、引き出し１６は、天板付き家具２の奥行き方向Ｆ１１の奥側に押されて、天板付き家具２の空間内に収容される。なお、本実施の形態において、天板付き家具２には、図５に示すように、２つの引き出し１６が配置されているが、天板付き家具２の引き出し１６の配置数は、２つに限定されず、１つでもよいし、３つ以上でもよい。
【００２６】
一方、棚装置３は、物品を出し入れ可能に収容する収容棚としての機能と、図１〜４に示すように天板付き家具２を出没可能に収容する機能とを兼ね備え、床面に自立可能な構造体である。本実施の形態において、棚装置３は、図６に示すように、棚板３０と、棚板３０等を支持して自立する棚脚部３１と、棚装置３の構造を強固にする等のための後面板３２，３３および支柱３４と、天板付き家具２を出没可能に収容する収容空間３５と、天板付き家具２の出没時の移動範囲を規制するガイドレール３６，３７とを備える。また、棚装置３は、図１〜４，６に示すように、棚板３０上に物品収容部３８ａ等の収容棚を形成する複数の仕切部材３９ａ〜３９ｄと、棚板３０上の物品収容部３８ａを開閉可能に遮蔽する遮蔽部材４０と、遮蔽部材４０の開閉時の移動を案内する前側スライドガイド部４７および後側スライドガイド部４８と、照明装置５０とを備える。
【００２７】
棚板３０は、物品を出し入れ可能に収容する収容棚の底板として機能する板部材である。具体的には、図６に示すように、棚板３０は、その幅方向両端部を側板３１ａ，３１ｂに固定され、自立した態様の棚脚部３１によって床面から所定の高さの位置に支持される。この棚板３０上には、図２に示すように、仕切部材３９ａ，３９ｂ等によって物品収容部３８ａおよび開放型物品収容部３８ｂ，３８ｃが形成される。物品収容部３８ａおよび開放型物品収容部３８ｂ，３８ｃは、いずれも物品の収容棚であり、棚板３０は、これらの物品収容部３８ａおよび開放型物品収容部３８ｂ，３８ｃの底面をなす。
【００２８】
棚脚部３１は、棚装置３が床面に自立するための脚部として機能するものであり、図６に示すように、棚板３０等を支持する一対の側板３１ａ，３１ｂによって構成される。側板３１ａ，３１ｂは、棚板３０および後面板３２，３３の幅方向両端部に各々固定される。また、側板３１ａ，３１ｂの下部には、側板３１ａ，３１ｂの互いに対向する壁面（すなわち内壁面）の各々に挟まれるように支柱３４が固定される。このような一対の側板３１ａ，３１ｂからなる棚脚部３１は、棚板３０および後面板３２，３３を支持して床面に起立（自立）するとともに、天板付き家具２の収容空間３５を棚板３０の下方に形成する。この際、棚脚部３１は、床面に起立して、この床面から所定の高さの位置に棚板３０を支持する。また、棚脚部３１は、棚装置３の奥行き方向Ｆ１に天板付き家具２の収容空間３５が開口し、棚装置３の幅方向Ｆ２に物品収容部３８ａおよび開放型物品収容部３８ｂ，３８ｃが並び、棚装置３の起立方向Ｆ３の上方に棚板３０の上面（収容棚の底面）が向くように自立する。
【００２９】
後面板３２は、図６に示すように、側板３１ａ，３１ｂの奥行き方向Ｆ１の奥側端部近傍のうち、各上部の内壁面に固定配置される。後面板３２は、その前面を棚板３０の奥行き方向Ｆ１の奥側端面に接触させて、棚板３０上の物品収容部３８ａおよび開放型物品収容部３８ｂ，３８ｃの後面をなす。なお、後面板３２の前面は、棚装置３の奥行き方向Ｆ１の手前側に向く後面板３２の壁面である。一方、後面板３３は、図３，６に示すように、側板３１ａ，３１ｂの奥行き方向Ｆ１の奥側端部近傍のうち、棚板３０よりも下方の各部分の内壁面に固定配置される。後面板３３は、棚板３０の下方に形成される収容空間３５の後面をなす。
【００３０】
支柱３４は、図３，６に示すように、側板３１ａ，３１ｂの奥行き方向Ｆ１の奥側における各端部内壁面と後面板３３の下端面とに固定される。支柱３４は、上述した後面板３２，３３と協同して、側板３１ａ，３１ｂによる棚脚部３１の起立時の構造を強固に維持する。
【００３１】
収容空間３５は、天板付き家具２を出没可能に収容する空間である。具体的には、図３，６に示すように、天板付き家具２の収容空間３５は、棚装置３が床面に起立した際、この床面と棚板３０の下端面との間に形成される。すなわち、収容空間３５は、棚板３０と側板３１ａ，３１ｂと後面板３３とによって囲まれ且つ床面に連続して、棚装置３の奥行き方向Ｆ１の手前側に開口する。このような収容空間３５には、床面に沿って棚装置３の奥行き方向Ｆ１に移動する天板付き家具２が、図１〜４に示すように、出没可能に収容される。
【００３２】
ガイドレール３６，３７は、棚装置３の収容空間３５からの天板付き家具２の出没を案内する際に用いられるレールである。具体的には、図２，６に示すように、ガイドレール３６は、棚装置３の収容空間３５からの天板付き家具２の出没方向（図４参照）に長手となるよう、側板３１ａの内壁面に凹状に形成される。ガイドレール３６は、天板付き家具２の脚板１１ａに取り付けられたガイド部１３（図５参照）の突起部分を受け入れる。一方、ガイドレール３７は、上述したガイドレール３６と同様に天板付き家具２の出没方向に長手となるよう、側板３１ｂの内壁面に凹状に形成される。ガイドレール３７は、図２，６に示すように、天板付き家具２の脚板１１ｂに取り付けられたガイド部１４の突起部分を受け入れる。
【００３３】
上述したようなガイドレール３６，３７は、棚装置３の収容空間３５からの天板付き家具２の出没に伴って棚装置３に対し相対的に移動するガイド部１３，１４の移動方向および移動範囲を規制する規制手段として機能する。具体的には、ガイドレール３６，３７は、この天板付き家具２の出没に伴うガイド部１３，１４の移動方向を、この天板付き家具２の出没方向に規制する。また、ガイドレール３６，３７は、この天板付き家具２の出没に伴うガイド部１３，１４の移動範囲を、天板付き家具２が棚装置３から脱離しない（抜け出ない）範囲に規制する。これにより、ガイドレール３６，３７は、天板付き家具２の出没時の棚装置３に対する相対的な移動範囲を、図３，４に示すように天板付き家具２の落下防止壁１２が棚装置３における収容空間３５から出ない範囲に規制する。
【００３４】
物品収容部３８ａおよび開放型物品収容部３８ｂ，３８ｃは、物品を出し入れ可能に収容する収容棚として機能するものであり、棚装置３の棚板３０上に形成される。具体的には、図２，６に示すように、物品収容部３８ａは、遮蔽部材４０によって開閉可能に遮蔽される開閉型の収容棚である。物品収容部３８ａは、遮蔽部材４０による遮蔽が解除された場合、棚装置３の奥行き方向Ｆ１の手前側および起立方向Ｆ３の上側を開放した開状態となって、物品を出し入れ可能になる。一方、物品収容部３８ａは、遮蔽部材４０によって遮蔽された場合、棚装置３の奥行き方向Ｆ１の手前側および起立方向Ｆ３の上方側を覆われた閉状態となって、物品を遮蔽空間内に収容可能になる。
【００３５】
開放型物品収容部３８ｂ，３８ｃは、図２，６に示すように、通常、棚装置３の奥行き方向Ｆ１の手前側および上方側（起立方向Ｆ３の上側）を開放した状態の収容棚である。開放型物品収容部３８ｂ，３８ｃは、上述した物品収容部３８ａの遮蔽の解除に伴い遮蔽部材４０によって遮蔽されない限り、この開放状態を維持して、物品を出し入れ可能に収容する。この際、開放型物品収容部３８ｂ，３８ｃは、遮蔽部材４０よりも高さが低い物品は勿論、遮蔽部材４０よりも高い背高な物品（例えば辞典に例示される大型な書籍等）を収容可能である。
【００３６】
上述した物品収容部３８ａおよび開放型物品収容部３８ｂ，３８ｃは、図２，６に示すように、棚板３０を底面とし且つ後面板３２を後面として、棚装置３の幅方向Ｆ２に並ぶように形成される。これらの物品収容部３８ａおよび開放型物品収容部３８ｂ，３８ｃは、複数の仕切部材３９ａ，３９ｂによって仕切られる。
【００３７】
仕切部材３９ａ，３９ｂは、図２に示すように、棚装置３の幅方向Ｆ２に所定の間隔をあけて棚板３０上に配置される。仕切部材３９ａ，３９ｂは、上述した開閉型の物品収容部３８ａの幅方向Ｆ２の右側面および左側面を各々形成する。また、仕切部材３９ａ，３９ｂは、物品収容部３８ａを挟んで棚装置３の幅方向Ｆ２に開放型の物品収容部を複数並ぶように形成する。本実施の形態においては、図２に示すように、仕切部材３９ａ，３９ｂは、物品収容部３８ａを挟んで、棚装置３の幅方向Ｆ２の右側端に開放型物品収容部３８ｂを形成し、棚装置３の幅方向Ｆ２の左側端に開放型物品収容部３８ｃを形成する。この際、仕切部材３９ａは、右側端の開放型物品収容部３８ｂの左側面を形成する。仕切部材３９ｂは、左側端の開放型物品収容部３８ｃの右側面を形成する。また、右側端の開放型物品収容部３８ｂの右側面は側板３１ａによって形成され、左側端の開放型物品収容部３８ｃの左側面は側板３１ｂによって形成される。
【００３８】
一方、仕切部材３９ｃ，３９ｄは、上述した開放型物品収容部３８ｂ，３８ｃの各収容空間を更に仕切るものである。具体的には、図２，６に示すように、仕切部材３９ｃは、棚板３０における側板３１ａと仕切部材３９ａとの間の部分に配置される。仕切部材３９ｃは、右側端の開放型物品収容部３８ｂを、更に仕切って複数（本実施の形態では２つ）の物品収容部に細分化する。一方、仕切部材３９ｄは、棚板３０における側板３１ｂと仕切部材３９ｂとの間の部分に配置される。仕切部材３９ｄは、左側端の開放型物品収容部３８ｃを、更に仕切って複数（本実施の形態では２つ）の物品収容部に細分化する。
【００３９】
遮蔽部材４０は、上述した棚板３０上の物品収容部３８ａを開閉可能に遮蔽するものである。具体的には、図２，３，６に示すように、遮蔽部材４０は、棚装置３の奥行き方向Ｆ１の手前側から物品収容部３８ａを遮蔽する遮蔽板、および、棚装置３の起立方向Ｆ３の上側から物品収容部３８ａを遮蔽する遮蔽板等を用いて構成される。遮蔽部材４０は、物品収容部３８ａおよび開放型物品収容部３８ｂ，３８ｃに亘って棚装置３の幅方向Ｆ２に移動（例えば摺動）するように、棚装置３に支持される。詳細には、図３に示すように、遮蔽部材４０の奥行き方向手前側の部分が棚板３０上の前側スライドガイド部４７によって支持され、遮蔽部材４０の奥行き方向奥側の部分が後面板３２の背面の後側スライドガイド部４８によって支持される。遮蔽部材４０は、このように棚装置３によって奥行き方向Ｆ１の手前側および奥側の双方から支持されるとともに、前側スライドガイド部４７および後側スライドガイド部４８によって移動方向および移動範囲を規制される。
【００４０】
ここで、上述した物品収容部３８ａおよび開放型物品収容部３８ｂ，３８ｃは、棚板３０を底面とし且つ後面板３２を後面として、棚装置３の奥行き方向Ｆ１の手前側および起立方向Ｆ３の上側（上方側）が開放された状態に形成される。遮蔽部材４０は、前側スライドガイド部４７および後側スライドガイド部４８に沿って、物品収容部３８ａおよび開放型物品収容部３８ｂ，３８ｃに亘り棚装置３の幅方向Ｆ２に移動する。これにより、遮蔽部材４０は、物品収容部３８ａを開閉可能に遮蔽するとともに、開放型物品収容部３８ｂ，３８ｃの奥行き方向手前側および上方側を開放する。また、遮蔽部材４０は、上述したように前側スライドガイド部４７および後側スライドガイド部４８に沿って移動して、この物品収容部３８ａの遮蔽を解除するとともに、開放型物品収容部３８ｂ，３８ｃのうちのいずれか一方の開閉型収容部の少なくとも一部分を遮蔽する。
【００４１】
一方、遮蔽部材４０には、物品を支持する物品支持部４２が設けられる。具体的には、図６等に示すように、物品支持部４２は、遮蔽部材４０の外壁面のうち、棚装置３の奥行き方向Ｆ１の手前側を向く前側の外壁面の下部に設けられる。物品支持部４２は、この前側の外壁面に載置される物品を支持する。この物品支持部４２を備えた遮蔽部材４０の前側外壁面の部分は、遮蔽板としての機能と、書籍等の物品を受け支える書見台４６としての機能とを兼ね備える。このような書見台４６は、上述した遮蔽部材４０と同様に、前側スライドガイド部４７および後側スライドガイド部４８に沿って棚装置３の幅方向Ｆ２に移動可能である。
【００４２】
前側スライドガイド部４７は、遮蔽部材４０の幅方向の移動（スライド）を案内するスライドガイド部の一つである。具体的には、図６に示すように、前側スライドガイド部４７は、棚装置３の外側から視認できるように、棚板３０の上面に設けられる。前側スライドガイド部４７は、図３に示すように、遮蔽部材４０の奥行き方向手前側の部分を移動可能に支持するとともに、棚装置３の幅方向Ｆ２における遮蔽部材４０の移動を案内する。
【００４３】
後側スライドガイド部４８は、遮蔽部材４０の幅方向の移動（スライド）を案内するスライドガイド部の一つである。具体的には、図３に示すように、後側スライドガイド部４８は、棚装置３の背面側から視認できるように、後面板３２の後面（背面）に設けられる。なお、後面板３２の後面は、棚装置３の奥行き方向Ｆ１の奥側を向く後面板の壁面である。後側スライドガイド部４８は、図３に示すように、遮蔽部材４０の奥行き方向奥側の部分を移動可能に支持するとともに、棚装置３の幅方向Ｆ２における遮蔽部材４０の移動を案内する。
【００４４】
照明装置５０は、所定の機能を有する機能装置の一例である。照明装置５０は、上述した開放型物品収容部３８ｂ，３８ｃのうちの一方、例えば図２，６等に示すように、左端側の開放型物品収容部３８ｃに着脱可能に固定配置される。この際、照明装置５０は、上述した遮蔽部材４０の移動を阻害しないように、棚装置３の幅方向Ｆ２の端部、例えば側板３１ｂの近傍に取り付けられる。照明装置５０は、そのアーム等を操作することにより、照明光源の位置および方向を容易に調整可能である。このような照明装置５０は、棚装置３の部分（棚板３０の上面等）や天板付き家具２の部分（天板１０および引き出し１６内等）、図１，４等に示す組み合わせ家具１の所望の部分を照明することができる。
【００４５】
なお、本実施の形態において、天板付き家具２の奥行き方向Ｆ１１、幅方向Ｆ１２、および起立方向Ｆ１３は、図５に示すように定義される。すなわち、天板付き家具２の奥行き方向Ｆ１１は、机等として天板付き家具２を使用する使用者（図示せず）が椅子に座る等して天板付き家具２に向かう方向である。この奥行き方向Ｆ１１は、天板脚部１１をなす脚板１１ａ，１１ｂ同士の対向方向と、天板１０に直交する方向（天板上面１０ａの法線方向）との双方に対して垂直である。天板付き家具２の幅方向Ｆ１２は、脚板１１ａ，１１ｂ同士の対向方向に対して平行な方向であり、且つ、天板１０に直交する方向に対して垂直な方向である。天板付き家具２の起立方向Ｆ１３は、床面に起立した状態の天板付き家具２の上下方向であり、上述した奥行き方向Ｆ１１および幅方向Ｆ１２に対して垂直である。これらの奥行き方向Ｆ１１、幅方向Ｆ１２、および起立方向Ｆ１３は、天板付き家具２を構成する天板１０等の各構成部についても同様である。
【００４６】
一方、本実施の形態において、棚装置３の奥行き方向Ｆ１、幅方向Ｆ２、および起立方向Ｆ３は、図６に示すように定義される。すなわち、棚装置３の奥行き方向Ｆ１は、収容棚等として棚装置３を使用する使用者（図示せず）が棚装置３に向かう方向である。この奥行き方向Ｆ１は、棚脚部３１をなす側板３１ａ，３１ｂ同士の対向方向と、棚板３０に直交する方向との双方に対して垂直である。棚装置３の幅方向Ｆ２は、側板３１ａ，３１ｂ同士の対向方向に対して平行な方向であり、且つ、棚板３０に直交する方向に対して垂直な方向である。棚装置３の起立方向Ｆ３は、床面に起立した状態の棚装置３の上下方向であり、上述した奥行き方向Ｆ１および幅方向Ｆ２に対して垂直である。これらの奥行き方向Ｆ１、幅方向Ｆ２、および起立方向Ｆ３は、棚装置３を構成する棚板３０等の各構成部についても同様である。
【００４７】
上述した天板付き家具２および棚装置３を組み合わせて構成される組み合わせ家具１の奥行き方向、幅方向、および起立方向は、図１〜４に示すように、棚装置３の奥行き方向Ｆ１、幅方向Ｆ２、および起立方向Ｆ３と各々同じである。また、図１〜４に示すように天板付き家具２が棚装置３に対して出没可能に取り付けられた状態において、天板付き家具２の奥行き方向Ｆ１１、幅方向Ｆ１２、および起立方向Ｆ１３は、棚装置３の奥行き方向Ｆ１、幅方向Ｆ２、および起立方向Ｆ３と各々同じである。例えば、図４に示す棚装置３内からの天板付き家具２の出没方向は、棚装置３の奥行き方向Ｆ１と同じである。すなわち、この天板付き家具２の出没方向は、組み合わせ家具１の奥行き方向と同じであり、棚装置３に対して出没可能に取り付けられた天板付き家具２の奥行き方向Ｆ１１と同じである。
【００４８】
（棚装置内からの天板付き家具の出没）
つぎに、本発明にかかる組み合わせ家具１における棚装置３内からの天板付き家具２の出没について詳細に説明する。図７は、棚装置内からの天板付き家具の出没を案内するガイド部およびその取付部分の各構成例を示す図である。図８は、天板付き家具に取り付けたガイド部と棚装置に形成されたガイドレールとの係合構造の一例を示す断面図である。図８には、棚装置３の奥行き方向Ｆ１の手前側から見たガイド部１３およびガイドレール３６の断面構造が図示されている。図９は、棚装置に形成されたガイドレールの一構成例を示す図である。
【００４９】
上述した組み合わせ家具１（図１〜４参照）には、棚装置３内からの天板付き家具２の出没のガイド機構として、天板付き家具２の天板脚部１１および棚装置３の棚脚部３１のうちの一方の脚部（本実施の形態では棚脚部３１）に、ガイドレール３６，３７が設けられる（図２，６参照）。また、これらの天板脚部１１および棚脚部３１のうちの他方の脚部（本実施の形態では天板脚部１１）に、ガイド部１３，１４が着脱可能に取り付けられる（図２，５参照）。
【００５０】
ガイド部１３，１４は、天板脚部１１をなす脚板１１ａ，１１ｂに対して各々着脱可能に取り付けられるとともに、ガイドレール３６，３７に各々係合する。ガイド部１３，１４は、棚装置３内からの天板付き家具２の出没に伴い、ガイドレール３６，３７に沿って移動して、この天板付き家具２の出没を案内する。また、ガイド部１３，１４は、ガイドレール３６，３７に設けられた抜け止め面（後述する）に当接して、棚装置３からの前記天板付き家具２の抜け出しを防止する。
【００５１】
上述したガイド部１３，１４は、天板脚部１１における取付部分が異なること以外、互いに同様の構成を有する。以下では、これらのガイド部１３，１４を代表し、ガイド部１３について説明する。
【００５２】
図７，８に示すように、ガイド部１３は、ガイド突起１３ａと、このガイド突起１３ａを固定される基端部１３ｂとを備え、脚板１１ａの内壁面に設けられた嵌合凹部５に、この脚板１１ａの内壁面側から螺子止め等によって着脱可能に取り付けられる。
【００５３】
嵌合凹部５は、天板脚部１１にガイド部１３を着脱可能に取り付ける取付部分として、脚板１１ａの内壁部分に設けられる。詳細には、嵌合凹部５は、天板脚部１１の脚板１１ａの内壁、すなわち、側板３１ａに設けられたガイドレール３６との対向面の反対側の壁面部分に、図７に示すように凹状に形成される。この嵌合凹部５が形成される脚板１１ａの内壁部分は、天板付き家具２の出没方向における奥側の端部、すなわち、天板付き家具２の奥行き方向Ｆ１１（図５参照）における奥側の端部である。このような嵌合凹部５は、図７に示すように、脚板１１ａを貫通する貫通孔５ａと、天板付き家具２の出没方向からガイド部１３に当接する当接部５ｂとを有する。また、嵌合凹部５には、ガイド部１３を着脱可能に螺子止めするための螺子穴等の開口部が、必要数、形成されている。
【００５４】
ガイド突起１３ａは、図８に示すように凹状をなすガイドレール３６内に嵌合する凸状（例えば円柱状等）に形成される凸状部材であり、螺子止め等によって基端部１３ｂに固定される。ガイド突起１３ａは、図７，８に示すように、脚板１１ａに形成された嵌合凹部５の貫通孔５ａに、脚板１１ａの内壁面側から挿通して、この脚板１１ａの外壁面側に突出する。これと同時に、ガイド突起１３ａは、図６等に示したような棚装置３の側板３１ａのガイドレール３６に摺動可能に嵌合する。ガイド突起１３ａは、図９に示すように、ガイドレール３６に沿って摺動して、棚装置３内からの天板付き家具２の出没を案内する。また、ガイド突起１３ａは、図９に示すガイドレール３６の抜け止め面３６ａに当接して、棚装置３からの天板付き家具２の意図せぬ抜け出しを防止する。
【００５５】
基端部１３ｂは、ガイド突起１３ａの基端側端部を螺子止め等によって固定されて、このガイド突起１３ａを支持する部材である。基端部１３ｂは、図７，８に示すように、脚板１１ａの内壁面側から嵌合凹部５に嵌合し、螺子止め等によって脚板１１ａ（具体的には嵌合凹部５）に着脱可能に取り付けられる。このように嵌合凹部５に取り付けられた基端部１３ｂの外周面（基端外周面１３ｃ）は、図７に示すように嵌合凹部５の一部分である当接部５ｂに、天板付き家具２の出没方向から当接する。
【００５６】
一方、ガイドレール３６，３７は、棚装置３内からの天板付き家具２の出没に伴って棚装置３に対し相対的に移動するガイド部１３，１４の移動方向および移動範囲を規制するものであり、図６等に示したように棚脚部３１をなす側板３１ａ，３１ｂの各内壁面に各々形成される。本実施の形態において、ガイドレール３６，３７は、棚脚部３１における形成部分が異なること以外、互いに同様の構成を有する。以下では、これらのガイドレール３６，３７を代表し、ガイドレール３６について説明する。
【００５７】
ガイドレール３６は、棚脚部３１の側板３１ａの内壁、すなわち、図２，５に示したようにガイド部１３（具体的にはガイド突起１３ａ）が突出する天板脚部１１の脚板１１ａの外壁面に対向する壁面部分に、凹状に形成される。ガイドレール３６は、図８，９に示すように、棚装置３内からの天板付き家具２の出没方向に長手であり、ガイド突起１３ａを摺動可能に受け入れる。また、ガイドレール３６は、図９に示すように、天板付き家具２の出没方向における側板３１ａの端部近傍、詳細には、この出没方向の手前側の端部近傍に、抜け止め面３６ａを有する。さらに、ガイドレール３６は、この抜け止め面３６ａとは反対側（天板付き家具２の出没方向の奥側）の側板３１ａの端部近傍に、抜け止め面３６ｂを有する。これらの抜け止め面３６ａ，３６ｂのうち、一方の抜け止め面３６ａは、棚装置３の奥行き方向Ｆ１の手前側から天板付き家具２が意図せず抜け出る事態を防止するためのものである。他方の抜け止め面３６ｂは、棚装置３の奥行き方向Ｆ１の奥側からガイド部１３がガイドレール３６の外側に抜け出る事態を防止するためのものである。
【００５８】
このような構成を有するガイドレール３６は、図９に示すように、自身の長手方向にガイド突起１３ａを摺動させる。これにより、ガイドレール３６は、天板付き家具２の出没に伴うガイド部１３の移動方向、すなわち、棚装置３内からの天板付き家具２の出没方向を、棚装置３の奥行き方向Ｆ１（＝天板付き家具２の奥行き方向Ｆ１１）に規制する。一方、ガイドレール３６は、天板付き家具２の出没方向の手前側に向かって摺動するガイド突起１３ａを抜け止め面３６ａに当接させ、これにより、この出没方向手前側へのガイド部１３の移動を止める。また、ガイドレール３６は、天板付き家具２の出没方向の奥側に向かって摺動するガイド突起１３ａを抜け止め面３６ｂに当接させ、これにより、この出没方向奥側へのガイド部１３の移動を止める。これらの作用により、ガイドレール３６は、上述した天板付き家具２の出没に伴うガイド部１３の棚装置３に対する相対的な移動範囲を、これらの抜け止め面３６ａ，３６ｂの間の範囲に規制する。すなわち、ガイドレール３６は、棚装置３内から天板付き家具２を出没する際の天板付き家具２の移動範囲を、棚装置３から天板付き家具２が脱離しない範囲に規制する。
【００５９】
ここで、図５，６等に示したガイド部１４およびガイドレール３７は、上述したガイド部１３およびガイドレール３６の場合と同様に作用する。これらのガイド部１３，１４およびガイドレール３６，３７を備える組み合わせ家具１において、天板付き家具２は、ガイド部１３，１４およびガイドレール３６，３７によって移動方向および移動範囲を規制されつつ、棚装置３内から出没する。
【００６０】
図１０は、棚装置内からの天板付き家具の引き出し動作を説明する図である。図１１は、棚装置内への天板付き家具の収容動作を説明する図である。使用者は、棚装置３の収容空間３５内に収容されている天板付き家具２を机等として使用する際、図１０に示すように、棚装置３の奥行き方向Ｆ１の手前側に天板付き家具２を移動させて、収容空間３５内から天板付き家具２を引き出す。
【００６１】
具体的には、使用者は、奥行き方向Ｆ１における天板付き家具２の手前側部分を持ち上げて、天板脚部１１の滑り止め部１８を床面から離間させながら、天板付き家具２を引き出す。これにより、天板付き家具２は、滑り止め部１８による床面上の滑り止め作用を解除し、車輪１７の作用によって奥行き方向Ｆ１の手前側へ円滑に移動する。使用者は、天板付き家具２の用途に応じて必要な分の天板１０を収容空間３５の外側に引き出した後、天板付き家具２を下して床面に滑り止め部１８を接触させる。この際、天板付き家具２は、天板脚部１１によって床面に自立するとともに、滑り止め部１８の作用により、床面上における天板脚部１１の滑りを抑制して、自立位置を安定させる。この天板付き家具２の自立位置において、天板１０は、図１０に示すように、天板上面１０ａのうちの用途に応じた必要な天板面積の使用部分１０ｂを、棚装置３の奥行き方向Ｆ１の手前側から外部に露出させる。この際、天板上面１０ａのうちの用途に不要な非使用部分１０ｃおよび落下防止壁１２は、棚装置３の収容空間３５内に収容されている（状態Ｓ１）。本実施の形態において、天板１０の非使用部分１０ｃは、天板上面１０ａのうちの棚装置３における収容空間３５内に位置する天板部分である。また、天板１０の使用部分１０ｂは、天板上面１０ａのうちの収容空間３５外に位置する（露出する）天板部分である。
【００６２】
この状態Ｓ１において、棚装置３内から天板付き家具２を引き出す際の天板付き家具２の移動方向は、上述したガイド部１３，１４およびガイドレール３６，３７によって奥行き方向Ｆ１に制限される。この際、例えば図１０に示すように、ガイド部１３は、ガイドレール３６に沿って天板付き家具２とともに奥行き方向Ｆ１の手前側へ摺動する。このようなガイド部１３，１４およびガイドレール３６，３７の作用により、天板付き家具２は、天板１０および落下防止壁１２の各上面と棚装置３の棚板３０の下面との間に、これら両者の接触を回避するに十分な間隙を確保して、奥行き方向Ｆ１の手前側へ移動する。この結果、天板付き家具２は、天板１０および落下防止壁１２のいずれも棚板３０に接触させることなく、棚装置３内から引き出される。
【００６３】
また、使用者は、天板付き家具２の天板１０を可能な限り広く使用する際、上述したように天板付き家具２の手前側部分を持ち上げて滑り止め部１８を床面から離間させながら、天板付き家具２を更に引き出す。これにより、天板付き家具２は、上述した状態Ｓ１の場合と同様に床面に対する滑り止め作用を解除し、車輪１７の作用によって奥行き方向Ｆ１の手前側へ円滑に移動する。使用者は、天板１０を収容空間３５の外側に更に引き出した後、天板付き家具２を下して床面に滑り止め部１８を接触させる。この際、天板付き家具２は、上述した状態Ｓ１の場合と同様に、天板脚部１１によって床面に自立するとともに床面上における天板脚部１１の滑りを抑制して、自立位置を安定させる。この天板付き家具２の自立位置において、天板１０は、図１０に示すように、天板上面１０ａのうちの使用部分１０ｂを可能な限り多く、棚装置３の奥行き方向Ｆ１の手前側から外部に露出させる。この際、天板上面１０ａのうちの非使用部分１０ｃおよび落下防止壁１２は、棚装置３の収容空間３５内に収容されている（状態Ｓ２）。
【００６４】
この状態Ｓ２において、棚装置３内から天板付き家具２を引き出す際の天板付き家具２の移動方向および移動範囲は、上述したガイド部１３，１４およびガイドレール３６，３７によって制限される。この際、例えば図１０に示すように、ガイド部１３は、ガイドレール３６に沿って天板付き家具２とともに奥行き方向Ｆ１の手前側へ摺動し、これにより、天板付き家具２の移動方向（引き出し方向）は、奥行き方向Ｆ１の手前側に制限される。また、天板付き家具２が天板１０を棚装置３の外側に可能な限り露出させると同時に、ガイド部１３は、ガイドレール３６の抜け止め面３６ａにガイド突起１３ａを当接させて（図９参照）、奥行き方向Ｆ１の手前側への移動を止める。これにより、天板付き家具２の移動範囲（引き出し範囲）は、上述した状態Ｓ２の範囲に制限される。このような状態Ｓ２においても、天板付き家具２は、上述した状態Ｓ１の場合と同様に、ガイド部１３，１４およびガイドレール３６，３７の作用により、天板１０および落下防止壁１２の各上面と棚装置３の棚板３０の下面との間に十分な間隙を確保して、奥行き方向Ｆ１の手前側へ移動する。この結果、天板付き家具２は、天板１０および落下防止壁１２のいずれも棚板３０に接触させることなく、且つ、棚装置３から抜け出ることなく、棚装置３内から可能な限り多く引き出される。
【００６５】
なお、上述したガイド部１３，１４およびガイドレール３６，３７は、棚装置３の収容空間３５内に収容された状態の天板付き家具２を、図１０に示す状態Ｓ２のように棚装置３内から最大限に引き出す際にも、上述した状態Ｓ１，Ｓ２の場合と同様の作用効果を奏する。
【００６６】
一方、使用者は、棚装置３内から引き出した天板付き家具２を図１１に示すように棚装置３の収容空間３５内に収容する際、上述したように天板付き家具２の手前側部分を持ち上げて滑り止め部１８を床面から離間させながら、天板付き家具２を収容空間３５内に押し入れる。これにより、天板付き家具２は、滑り止め部１８による床面上の滑り止め作用を解除し、車輪１７の作用により、棚装置３の後面板３３に向かって奥行き方向Ｆ１の奥側へ円滑に移動する。使用者は、天板付き家具２を収容空間３５内に収容し終えた後、天板付き家具２を下して床面に滑り止め部１８を接触させる。この際、天板付き家具２は、収容空間３５内から後面板３３に近接し、天板脚部１１によって床面に自立するとともに、滑り止め部１８によって床面上における天板脚部１１の滑りを抑制して、収容空間３５内に収容された状態を安定させる（状態Ｓ３）。この状態Ｓ３において、天板１０の全域は、図１１に示すように、棚装置３の収容空間３５内に収容されている。また、落下防止壁１２は、収容空間３５における奥行き方向Ｆ１の奥端近傍に位置する。切欠き部１５ａは、図５等に示した切欠き部１５ｂと同様に、支柱３４を受け入れる。
【００６７】
この状態Ｓ３において、棚装置３内に天板付き家具２を収容する際の天板付き家具２の移動方向および移動範囲は、上述したガイド部１３，１４およびガイドレール３６，３７によって制限される。この際、例えば図１１に示すように、ガイド部１３は、ガイドレール３６に沿って天板付き家具２とともに奥行き方向Ｆ１の手前側から奥側へ摺動し、これにより、天板付き家具２の移動方向（押し入れ方向）は、奥行き方向Ｆ１の奥側に制限される。また、天板付き家具２が棚装置３の収容空間３５内に収容し終えると同時に、ガイド部１３は、ガイドレール３６の抜け止め面３６ｂにガイド突起１３ａを当接させて（図９参照）、奥行き方向Ｆ１の奥側への移動を止める。これにより、天板付き家具２の移動範囲（押し入れ範囲）は、上述した状態Ｓ３の範囲に制限される。
【００６８】
上述した状態Ｓ３におけるガイド部１３，１４およびガイドレール３６，３７の作用により、天板付き家具２は、天板１０および落下防止壁１２の各上面と棚装置３の棚板３０の下面との間に十分な間隙を確保して、奥行き方向Ｆ１の奥側へ移動する。この結果、天板付き家具２は、天板１０および落下防止壁１２のいずれも棚板３０に接触させることなく、且つ、ガイド部１３，１４のいずれもガイドレール３６，３７から抜け出ることなく、棚装置３の収容空間３５内に円滑に収容される。
【００６９】
（天板付き家具および棚装置の組み合わせ態様）
つぎに、本発明の実施の形態にかかる組み合わせ家具１を構成する天板付き家具２および棚装置３の組み合わせ態様について詳細に説明する。上述したガイド部１３，１４等によって棚装置３内からの出没時の移動方向および移動範囲が制限された天板付き家具２は、天板脚部１１の脚板１１ａ，１１ｂからガイド部１３，１４を取り外すことにより、棚装置３内から容易に抜き出すことができる。図１２は、天板付き家具の天板脚部からガイド部を取り外した状態を示す図である。図１３は、棚装置から天板付き家具を取り外した状態を示す図である。図１４は、棚装置と天板とを組み合わせた組み合わせ家具の別態様の一例を示す図である。なお、図１３，１４には、上述した照明装置５０を図示しないが、棚装置３には図１等に示したように照明装置５０が設けられてもよい。
【００７０】
図１０，１１等に示したように天板付き家具２の出没時の移動方向および移動範囲を制限するガイド部１３，１４は、上述したように、天板付き家具２の天板脚部１１の脚板１１ａ，１１ｂに着脱可能に各々取り付けられている。すなわち、ガイド部１３，１４は、脚板１１ａ，１１ｂから各々取り外すことができる。例えば図１２に示すように、ガイド部１４は、嵌合凹部６に対する螺子止め等の取付手段を解除することにより、脚板１１ｂの嵌合凹部６から容易に取り外される。このことは、ガイド部１３においても同様である。なお、嵌合凹部６は、脚板１１ｂの内壁に形成されること以外、図７に示したようにガイド部１３を着脱可能に取り付ける嵌合凹部５と同様の構成を有する。
【００７１】
このように脚板１１ａ，１１ｂからガイド部１３，１４を各々取り外すことにより、天板付き家具２は、ガイド部１３，１４およびガイドレール３６，３７の作用による移動制限を解除される。すなわち、図１０，１１等に示したように棚装置３内から天板付き家具２を出没させる際の天板付き家具２の移動方向および移動範囲の制限が解除される。これにより、天板付き家具２は、図１３に示すように、棚装置３の側板３１ａ，３１ｂの各ガイドレール３６，３７による抜け止め作用から解放されて、棚装置３に対して自由になる。このような天板付き家具２は、図１０に示したように棚装置３の収容空間３５内から引き出す場合と同様に、棚装置３の奥行き方向Ｆ１の手前側（図１３中の太線矢印の方向）に向かって移動することにより、棚装置３から容易に抜き出すことができる。この結果、天板付き家具２は、図１３に示すように棚装置３から離間可能な自由状態になる。なお、ガイド部１３，１４は、上述したように脚板１１ａ，１１ｂから取り外した後、棚装置３から抜き出して自由状態にした天板付き家具２の脚板１１ａ，１１ｂの嵌合凹部５，６に各々取り付けることが望ましい（例えば図１４に示すガイド部１４参照）。これにより、ガイド部１３，１４（取り付けのための螺子等を含む）の紛失を防止することができる。
【００７２】
棚装置３に対して天板付き家具２を自由状態にすることにより、天板付き家具２は、棚装置３に対して出没可能な机としてのみならず、多様な用途に応じて使用可能となる。この結果、天板付き家具２の用途に応じて、天板付き家具２と棚装置３との組み合わせ態様を多様に変更可能な組み合わせ家具１を実現することができる。
【００７３】
このような用途に応じて変更可能な組み合わせ家具１の一態様は、例えば図１４に示すように、天板付き家具２の奥行き方向Ｆ１１と棚装置３の幅方向とを平行にした態様に天板付き家具２と棚装置３とを組み合わせて構成される。図１４に示す組み合わせ態様の組み合わせ家具１において、天板付き家具２は、その奥行き方向Ｆ１１の両側から使用可能な状態になる。棚装置３は、天板付き家具２の幅方向Ｆ１２の右側から使用可能な状態となる。
【００７４】
具体的には、図１４に示す組み合わせ家具１において、使用者は、椅子に座る等して天板付き家具２を使用し、天板付き家具２の幅方向Ｆ１２の右側を向きながら棚装置３を容易に使用することができる。この際、使用者は、棚装置３の幅方向Ｆ２に遮蔽部材４０を適宜スライドさせて、棚板３０上の物品収容部３８ａおよび開放型物品収容部３８ｂ，３８ｃを容易に使用することができる。また、使用者は、遮蔽部材４０の対面部分を書見台４６として使用することができる。さらに、使用者は、図１等に示したように棚板３０の開放型物品収容部３８ｃに照明装置５０を取り付けることにより、この天板付き家具２の天板１０上の物品（書籍や文房具等）を照明し、または、書見台４６上の物品（書籍や情報機器等）を照明する等の用途に、照明装置５０を使用することができる。
【００７５】
また、図１４に示すような組み合わせ家具１の天板付き家具２を児童用の学習机として使用することにより、使用者（児童）は、奥行き方向Ｆ１１に天板付き家具２を挟んで親と対面しながら、親と一緒に学習（対面学習）することができる。
【００７６】
以上、説明したように、本発明の実施の形態では、天板付き家具の天板脚部および棚装置の棚脚部のうちの一方の脚部に、天板付き家具の出没方向に長手であるガイドレールを設け、これら天板脚部および棚脚部のうちの他方の脚部に着脱可能に取り付けたガイド部を一方の脚部のガイドレールに係合し、このガイドレールに沿ったガイド部の移動により、棚装置に対する天板付き家具の出没を案内し、このガイドレールの長手方向端部に形成された抜け止め面に対するガイド部の当接により、棚装置からの天板付き家具の抜け出しを防止している。
【００７７】
このため、棚装置に対する天板付き家具の出没時における天板付き家具の移動方向を、ガイドレールに沿ったガイド部の移動方向に規制し、且つ、この出没時における天板付き家具の移動範囲を、ガイドレール内の任意の位置から長手方向端部の抜け止め面の位置までのガイド部の移動範囲に規制することができる。また、一方の脚部のガイドレールに係合したガイド部を他方の脚部から取り外すことにより、ガイド部とガイドレールとの係合関係を一時的に解消して、上述したガイド部およびガイドレールによる天板付き家具の移動範囲の規制を容易に解除することができる。以上のことにより、棚装置に対する天板付き家具の出没の際、棚装置からの天板付き家具の意図せぬ脱離を防止しながら、棚装置内から天板付き家具を円滑に出し入れすることができるとともに、棚装置内からの天板付き家具の引き出し範囲の規制を一時的に解除して、棚装置から天板付き家具を簡易に抜き出すことができる。この結果、棚装置から天板付き家具を自由に離間できる状態となり、天板付き家具の使用態様をその用途に応じて多様化することができる。
【００７８】
本発明にかかる組み合わせ家具を用いることにより、天板付き家具を、棚装置に対して円滑に出没可能な机等の家具としてのみならず、多様な用途に応じて使用することが可能となる。すなわち、組み合わせ家具の天板付き家具および棚装置を各々単独の家具として用途別に使用できることは勿論、組み合わせ家具を構成する天板付き家具と棚装置との組み合わせ態様を、天板付き家具の用途に応じて多様に変更することができる。例えば、天板付き家具を、その奥行き方向の両側から使用可能な状態にして棚装置と組み合わせ、これにより、児童等の使用者と親等の指導者との対面学習を行うことが可能な組み合わせ家具を簡易に実現することができる。このように、本発明によれば、組み合わせ家具を構成する天板付き家具および棚装置の各使い勝手を向上することができる。
【００７９】
また、本発明の実施の形態では、ガイド部の突起部（ガイド突起）を脚部の貫通孔に挿通してガイドレールに摺動可能に嵌合し、このガイド部の基端部を同脚部に着脱可能に取り付けている。このため、棚装置の収容空間内に天板付き家具を組み入れた状態の組み合わせ家具の内側または外側に、ガイド部をガイドレールの開口方向から天板脚部または棚脚部に着脱可能に取り付ける作業に要する空間を十分に確保することができる。これにより、ガイド部の取り付けおよび取り外しの各作業を簡易に行えるとともに、ガイド部およびガイドレールによって天板付き家具の出没時の移動方向および移動範囲を規制した状態と、この天板付き家具に対する規制を解除した状態とを簡易に切り換えることができる。この結果、棚装置の収容空間内から天板付き家具を円滑に出し入れ可能な状態と、棚装置から天板付き家具を抜き出して棚装置と天板付き家具とを自由な態様に組み合わせ可能な状態とを、組み合わせ家具の用途に合わせて簡易に使い分けることができる。
【００８０】
さらに、本発明の実施の形態では、ガイド部を着脱可能に取り付ける脚部（天板脚部または棚脚部）に、天板付き家具の出没方向からガイド部の基端部に当接する当接部を形成している。このため、ガイドレールの抜け止め面にガイド突起が衝突した際に、ガイド部の基端部に対して天板付き家具の出没方向に生じる力（以下、衝撃力という）を、当接部によって受け止めることができる。これにより、衝撃力に起因するガイド部の取付強度の劣化を抑制することができ、この結果、ガイド部を脚部に取り付けた状態をより堅牢に維持することができる。
【００８１】
また、本発明の実施の形態では、天板脚部および棚脚部のうちの一方の脚部に、ガイド部を取り付ける他方の脚部に対向する壁面から凹陥するように、ガイドレールが凹状に形成され、このガイド部のガイド突起が、この凹状をなすガイドレール内に嵌合する凸状に形成されている。このため、天板脚部と棚脚部との対向面間の空間に対するガイド部およびガイドレールの露出を可能な限り低減することができる。これにより、天板脚部と棚脚部との対向面間の距離を可能な限り小さくすることができる。この結果、天板付き家具の天板下方に十分な幅の空間を確保できることから、この天板下方の空間幅を狭めて天板付き家具の使い勝手を損なう事態を防止することができる。
【００８２】
さらに、本発明の実施の形態では、ガイド部を取り付ける脚部の、ガイドレールとの対向面と反対側の壁面に、ガイド部の基端部が嵌合する嵌合凹部を形成し、この嵌合凹部の一部分を、上述した当接部として機能させている。このため、ガイド部の取付作業時に当接部をより発見し易くなるとともに、脚部の壁面からガイド部の基端部を突出させずに、ガイド部を脚部に取り付けることができる。これにより、天板脚部または棚脚部の壁面からの不用な突起を無くすことができる。この結果、天板付き家具または棚装置の美観が壁面の突起に起因して損なわれる事態を防止するとともに、天板付き家具の天板下方の空間幅を狭めて天板付き家具の使い勝手を損なう事態を防止することができる。
【００８３】
なお、上述した実施の形態では、棚装置３の棚板３０上に、単一の物品収容部３８ａと、２つの開放型物品収容部３８ｂ，３８ｃとを形成していたが、本発明は、これに限定されるものではない。棚板３０上には、遮蔽部材４０によって開閉可能に遮蔽される開閉型の物品収容部と、通常時に開放されている開放型物品収容部とが、各々１つずつ（合計２つ）形成されていてもよいし、各々複数ずつ（合計４つ以上）形成されていてもよい。あるいは、棚板３０上に、開閉型の物品収容部が１つ形成され、開放型物品収容部が複数形成され、この結果、開閉型の物品収容部および開放型物品収容部が、合計３つ以上形成されてもよい。
【００８４】
また、上述した実施の形態では、棚装置３の棚板３０上に、開閉型の物品収容部３８ａおよび開放型物品収容部３８ｂ，３８ｃの２種類の収容棚が形成していたが、本発明は、これに限定されるものではない。棚板３０上には、開閉型の物品収容部または開放型物品収容部のいずれか１種類のみが、１つまたは複数、形成されてもよい。
【００８５】
さらに、上述した実施の形態では、棚板３０上の中央部分に開閉型の物品収容部３８ａが形成され、この物品収容部３８ａを挟んで棚装置３の幅方向Ｆ２の両側に開放型物品収容部３８ｂ，３８ｃが形成されていたが、本発明は、これに限定されるものではない。物品収容部３８ａは、棚板３０上の中央よりも幅方向右側（例えば右側端）に形成されてもよいし、棚板３０上の中央よりも幅方向左側（例えば左側端）に形成されてもよい。この場合、開放型物品収容部３８ｂ，３８ｃは、物品収容部３８ａを幅方向に挟むように形成されていなくてもよく、例えば、物品収容部３８ａよりも幅方向の右側または左側に並ぶように形成されてもよい。
【００８６】
また、上述した実施の形態では、棚装置３の幅方向Ｆ２にスライドする遮蔽部材４０によって物品収容部３８ａを開閉可能に遮蔽していたが、本発明は、これに限定されるものではない。本発明における遮蔽部材は、ヒンジ等を用いて上下または左右等の所定の方向に回動するように構成され、回動することによって物品収容部３８ａを開閉可能に遮蔽するものであってもよい。この場合、棚装置３の上端には、棚板３０の上方を覆って棚装置３の天井をなす板状部材が設けられてもよい。
【００８７】
さらに、上述した実施の形態では、左側端の開放型物品収容部３８ｃに照明装置５０を設けていたが、これに限定されず、右側端の開放型物品収容部３８ｂに照明装置５０を設けてもよい。あるいは、開放型物品収容部３８ｂ，３８ｃのいずれか一方または双方に、時計や送風機等、照明装置５０以外の機能装置を設けてもよい。すなわち、本発明において、棚装置３の棚板３０上等に設けられる機能装置は、特に照明装置５０に限定されず、所定の機能（例えば組み合わせ家具１を使用する使用者の用途に有用な機能）を有するものであればよい。また、棚装置３の棚板３０上等に設けられる機能装置の数は、１つであってもよいし、複数であってもよい。
【００８８】
また、上述した実施の形態では、棚装置３の開放型物品収容部３８ｃに、機能装置の一例として照明装置５０が設けられていたが、これに限定されず、棚装置３の開放型物品収容部３８ｂ，３８ｃには、照明装置５０等の機能装置を設けなくてもよい。この場合、開放型物品収容部３８ｂ，３８ｃは、これらの各全域を物品の収容棚として使用されてもよい。
【００８９】
さらに、上述した実施の形態では、棚装置３内からの天板付き家具２の出没の移動方向および移動範囲を規制するガイド部１３，１４およびガイドレール３６，３７のうち、ガイド部１３，１４は天板付き家具２の天板脚部１１に着脱可能に設け、ガイドレール３６，３７は棚装置３の棚脚部３１に設けていたが、本発明は、これに限定されるものではない。本発明において、ガイド部１３，１４は、棚装置３の棚脚部３１をなす側板３１ａ，３１ｂに各々着脱可能に設け、ガイドレール３６，３７は、天板付き家具２の天板脚部１１をなす脚板１１ａ，１１ｂに各々設けてもよい。この場合、側板３１ａ，３１ｂの各外壁に嵌合凹部５，６を各々形成し、脚板１１ａ，１１ｂの各外壁にガイドレール３６，３７を各々形成し、ガイド部１３，１４は、側板３１ａ，３１ｂの各外側から嵌合凹部５，６に各々着脱可能に嵌合して、脚板１１ａ，１１ｂのガイドレール３６，３７に各々摺動可能に係合してもよい。
【００９０】
また、上述した実施の形態では、ガイドレール３６，３７を、凹状に形成された溝としていたが、本発明は、これに限定されるものではない。本発明において、ガイドレール３６，３７は、横断面がコの字状であり、長手方向の両端部に抜け止め面を有する細長のレール部材を用いて構成されてもよい。
【００９１】
さらに、上述した実施の形態では、ガイドレール３６，３７に摺動可能に係合するガイド突起を有するようにガイド部１３，１４を構成していたが、本発明は、これに限定されるものではない。本発明において、ガイド部１３，１４は、回転自在に車輪を軸支する突起部を有し、ガイドレール３６，３７内に突起部の車輪を入れ、ガイドレール３６，３７に沿って天板付き家具２の出没方向に移動（スライド）するものであってもよい。
【００９２】
また、上述した実施の形態では、嵌合凹部５，６にガイド部１３，１４を各々嵌合して、脚板１１ａ，１１ｂの内壁面からガイド部１３，１４の後端面が突出しないように構成していたが、本発明は、これに限定されるものではない。本発明において、ガイド部１３，１４は、その各基端部が脚板１１ａ，１１ｂの内壁面から突出するように、脚板１１ａ，１１ｂの各内壁に各々着脱可能に取り付けられてもよい。
【００９３】
図１５は、脚板の内壁にガイド部を取り付ける状態の一変形例を示す図である。例えば図１５に示すように、ガイド部１３は、脚板１１ａに設けられた貫通孔５ａにガイド突起１３ａを挿通して、側板３１ａのガイドレール３６にガイド突起１３ａを係合させ、且つ、脚板１１ａの内壁面上に基端部１３ｂを当接させる。ガイド部１３は、図１５に示すように脚板１１ａの内壁面から基端部１３ｂを突出させた状態にして、螺子止め等により、脚板１１ａの内壁に着脱可能に取り付けられる。また、このようにガイド部１３が取り付けられる脚板１１ａの内壁部分には、図１５に示すように、天板付き家具２の出没方向からガイド部１３の基端部１３ｂに当接する当接部７が、この基端部１３ｂを上記の出没方向に挟む凸状に形成されてもよい。このようなガイド部１３の取付構成および当接部７の構成は、他方のガイド部１４においても同様にしてもよい。
【００９４】
一方、上述した実施の形態では、棚装置３の物品収容部３８ａを開閉可能に遮蔽する遮蔽部材４０に書見台４６としての機能をもたせていたが、これに限定されず、本発明における書見台４６は、上述した遮蔽部材４０と別体であってもよい。すなわち、本発明において、棚装置３は、棚板３０上に、互いに別体に構成される遮蔽部材４０と書見台４６とを備えてもよい。この場合、物品支持部４２は、遮蔽部材４０に設けず、別体である書見台４６の物品受け部の下側部分に設けられてもよい。また、書見台４６は、遮蔽部材４０と同様に前側スライドガイド部４７によって棚装置３の幅方向Ｆ２にスライド可能に支持されてもよい。あるいは、前側スライドガイド部４７と同様の構成を有するスライドガイド部を棚板３０における奥行き方向Ｆ１の手前側の部分に別に設け、書見台４６は、この別のスライドガイド部によって、棚装置３の幅方向Ｆ２にスライド可能に支持されてもよい。
【００９５】
また、書見台４６は、遮蔽部材４０と別体である場合、棚装置３の棚板３０に対して着脱可能に取り付けできるように構成され、棚板３０の上面における奥行き方向手前側部分のうちの所望の位置に移動可能に取り付けられてもよい。あるいは、書見台４６は、ヒンジ等を用いて上下または左右等の所定の方向に回動するように構成され、回動することによって、棚装置３における所定の位置、例えば遮蔽部材４０の上端面に折りたためるように構成されてもよい。
【００９６】
また、上述した実施の形態により本発明が限定されるものではなく、上述した各構成要素を適宜組み合わせて構成したものも本発明に含まれる。例えば、上述した実施の形態にかかる組み合わせ家具１を構成する天板付き家具２および棚装置３は、木製、金属製、または樹脂製のいずれのものであってもよいし、これらの素材を適宜組み合わせたものであってもよい。その他、上述した実施の形態に基づいて当業者等によりなされる他の実施の形態、実施例および運用技術等は全て本発明に含まれる。
【符号の説明】
【００９７】
１  組み合わせ家具
２  天板付き家具
３  棚装置
５，６  嵌合凹部
５ａ  貫通孔
５ｂ，７  当接部
１０  天板
１０ａ  天板上面
１０ｂ  使用部分
１０ｃ  非使用部分
１１  天板脚部
１１ａ，１１ｂ  脚板
１２  落下防止壁
１３，１４  ガイド部
１３ａ  ガイド突起
１３ｂ  基端部
１３ｃ  基端外周面
１５ａ，１５ｂ  切欠き部
１６  引き出し
１７  車輪
１８  滑り止め部
３０  棚板
３１  棚脚部
３１ａ，３１ｂ  側板
３２，３３  後面板
３４  支柱
３５  収容空間
３６，３７  ガイドレール
３６ａ，３６ｂ  抜け止め面
３８ａ  物品収容部
３８ｂ，３８ｃ  開放型物品収容部
３９ａ〜３９ｄ  仕切部材
４０  遮蔽部材
４２  物品支持部
４６  書見台
４７  前側スライドガイド部
４８  後側スライドガイド部
５０  照明装置
Ｆ１，Ｆ１１  奥行き方向
Ｆ２，Ｆ１２  幅方向
Ｆ３，Ｆ１３  起立方向
【図１】
0006514448.tif 000002
【図２】
0006514448.tif 000003
【図３】
0006514448.tif 000004
【図４】
0006514448.tif 000005
【図５】
0006514448.tif 000006
【図６】
0006514448.tif 000007
【図７】
0006514448.tif 000008
【図８】
0006514448.tif 000009
【図９】
0006514448.tif 000010
【図１０】
0006514448.tif 000011
【図１１】
0006514448.tif 000012
【図１２】
0006514448.tif 000013
【図１３】
0006514448.tif 000014
【図１４】
0006514448.tif 000015
【図１５】
0006514448.tif 000016